(57)【要約】【課題】  全開できる開口部をバリアフリーにでき、水切板に人が乗っても撓まない。【解決手段】  両端部に立上げ片１５ａを突設した水切板補強材１５を下レール枠４の屋外側端部に取付ける。左右の縦枠６、７のうち開口部２の一側端に対向した縦枠６の外面部に一方のガイドレール下地枠２３ａを固着すると共に開口部２と戸袋部９との境界部分の上下レール枠３、４の外面部に他方のガイドレール下地枠２３ｂの上下両端部を固着する。水切板補強材１５の立上げ片１５ａをガイドレール下地枠２３ａ、２３ｂに固着する。水切板１６を両ガイドレール下地枠２３ａ、２３ｂの下端間に配置すると共に水切板補強材１５の上に載設固着する。水切板１６の上面と下レール枠４の上端とをほぼ同じレベルとする。【選択図】        図１
2007146537.tif 000002
【特許請求の範囲】
【請求項１】
建物の外壁の屋外側に外壁の開口部の上縁部及び下縁部に沿って上下レール枠を設けると共に、上下レール枠の端部をそれぞれ開口部の側端部より離れる方向に外壁に沿って連出させ、左右の縦枠の上下両端部を上下レール枠の両端部に連結し、上下レール枠にそれぞれ複数のサッシ走行レールを上下レール枠の長手方向に亘って設け、開口部の側端部より離れる方向に外壁に沿って連出した各サッシ走行レールの連出部分をそれぞれサッシ収納用レールとしてこのサッシ収納用レールを設けた部分を戸袋部とし、各サッシ走行レールにそれぞれサッシ障子を走行自在に取付け、各サッシ障子を開口部と対向するように引き出して複数のサッシ障子により開口部を閉じ且つ各サッシ障子を戸袋部に移動させた状態で開口部を全開させるように構成し、両端部に立上げ片を突設した水切板補強材を下レール枠の屋外側端部に取付け、左右の縦枠のうち開口部の一側端に対向した縦枠の外面部に一方のガイドレール下地枠を固着すると共に開口部と戸袋部との境界部分の上下レール枠の外面部に他方のガイドレール下地枠の上下両端部を固着し、水切板補強材の両端部の立上げ片をそれぞれ上記ガイドレール下地枠に固着し、水切板を両ガイドレール下地枠の下端間に配置すると共に水切板補強材の上に載設固着し、該水切板の上面と下レール枠の上端とをほぼ同じレベルとし、左右のシャッタ用ガイドレールをそれぞ上記両ガイドレール下地枠に取付け、外壁に取付けたシャッタ装置に設けたシャッタの両端部を上記一対のシャッタ用ガイドレールに上下に移動自在に嵌め込んで成ることを特徴とする窓装置。
【発明の詳細な説明】
【技術分野】
【０００１】
本発明は、開口部の全巾にわたって開放でき且つ段差のないバリアフリーとなった窓装置に関するものである。
【背景技術】
【０００２】
従来の窓装置は、建物の外壁の開口部に開口部と同じ大きさの窓枠を取付け、この窓枠の上下の枠部に複数列のサッシ走行レールを設け、各サッシ走行レールにそれぞれサッシ枠にガラス板のような透光板を取付けたサッシ障子をそれぞれ走行自在に取付け、複数のサッシ障子同士を屋内外方向に重ねることで開口部の一部を開き、サッシ障子の端部同士を屋内外方向に重ねるように重複させることで複数のサッシ障子により開口部を閉じるようにしている。
【０００３】
上記のような従来例にあっては、開口部を開とした状態でも開口部の一部に複数のサッシ障子が屋内外方向に重なった状態で残り、開口部の開口量が少なくてサッシ障子を開いて開口部を開いた状態における室内における開放感が乏しく、更に通気量も少なく、また、室内から屋外を見た場合の視野も開口部の一部に残っている屋内外方向に重なった複数のサッシ障子が邪魔になって狭くなり、また、開口部の開口量が少ないので大きな荷物の出し入れに当たっても、サッシ障子が邪魔になるという問題があった。
【０００４】
そこで、開口部を開閉するための複数のサッシ障子を設けた窓装置において、複数のサッシ障子を全開にした場合に開口部を全開にできるようにした窓装置が特許文献１により提案されている。
【０００５】
この特許文献１に示された従来例にあっては、建物の外壁の屋外側に外壁の開口部の上縁部及び下縁部に沿って複数のサッシ走行レールを有する上下レール枠を設け、上下レール枠の端部をそれぞれ開口部の側端部より離れる方向に外壁に沿って連出させ、各サッシ走行レールの端部の開口部の側端部より離れる方向に外壁に沿って連出させた部分を収納用レールとして収納用レールを設けた部分を戸袋部とし、各サッシ走行レールにそれぞれサッシ枠にガラス板のような透光板を取付けたサッシ障子をそれぞれ走行自在に取付けてある。各サッシ障子を開口部と対向するように引き出すと共に隣接するサッシ障子の端部同士を重複させた状態で複数のサッシ障子により開口部を閉じ且つ各サッシ障子を収納用レールに移動させた状態で開口部を全開させるように構成してある。
【０００６】
そして、下レールの屋外側面部に水切板の後端を固着して該水切板を下レールから一段下がった位置において片持ち状態で外方に向けて突出している。
【０００７】
このような構成の従来例は開口部を全開することができるので、室内から屋外を見た場合の視野が広くなって開放感があり、通気量を多く、また、サッシ障子に邪魔されることなく開口部から人が出入したり、物を出し入れしたりすることができる。
【０００８】
上記従来例においては、水切板を一段下げた状態で取付けることで、開口部を出入する際に水切板に足を掛け難いようにして、水切板を人が踏まないようにしている。
【０００９】
しかしながら、水切板を誤って人が踏んだりして荷重をかけると、片持ち支持の水切板が撓んでしまうという問題点がある。
【００１０】
また、従来の窓装置においては、下レールの上端と水切板とは段差があり、このため、屋外にウッドデッキを形成した場合、水切板とウッドデッキの上面とを略同じレベルとした場合は、ウッドデッキの上面と下レールの上端とは段差があって、バリアフリーにできないという問題があり、室内から開口部を介してウッドデッキに出入りする際に足が段差部分につまずき易く、車椅子での出入をし難いという問題がある。
【特許文献１】特開２００２−９７８４９号公報
【発明の開示】
【発明が解決しようとする課題】
【００１１】
本発明は上記の従来の問題点に鑑みて発明したものであって、開口部を全開することができる窓装置において、バリアフリーで出入できるようにし、水切板に人が乗っても撓むことなく、確実に支持できる窓装置を提供することを課題とするものである。
【課題を解決するための手段】
【００１２】
上記課題を解決するために本発明に係る窓装置は、建物の外壁１の屋外側に外壁１の開口部２の上縁部及び下縁部に沿って上下レール枠３、４を設けると共に、上下レール枠３、４の端部をそれぞれ開口部２の側端部より離れる方向に外壁１に沿って連出させ、左右の縦枠６、７の上下両端部を上下レール枠３、４の両端部に連結し、上下レール枠３、４にそれぞれ複数のサッシ走行レール５を上下レール枠３、４の長手方向に亘って設け、開口部２の側端部より離れる方向に外壁１に沿って連出した各サッシ走行レール５の連出部分をそれぞれサッシ収納用レール８としてこのサッシ収納用レール８を設けた部分を戸袋部９とし、各サッシ走行レール５にそれぞれサッシ障子１２をそれぞれ走行自在に取付け、各サッシ障子１２を開口部２と対向するように引き出して複数のサッシ障子１２により開口部２を閉じ且つ各サッシ障子１２を戸袋部９に移動させた状態で開口部２を全開させるように構成し、両端部に立上げ片１５ａを突設した水切板補強材１５を下レール枠４の屋外側端部に取付け、左右の縦枠６、７のうち開口部２の一側端に対向した縦枠６の外面部に一方のガイドレール下地枠２３ａを固着すると共に開口部２と戸袋部９との境界部分の上下レール枠３、４の外面部に他方のガイドレール下地枠２３ｂの上下両端部を固着し、水切板補強材１５の両端部の立上げ片１５ａをそれぞれ上記ガイドレール下地枠２３ａ、２３ｂに固着し、水切板１６を両ガイドレール下地枠２３ａ、２３ｂの下端間に配置すると共に水切板補強材１５の上に載設固着し、該水切板１６の上面と下レール枠４の上端とをほぼ同じレベルとし、左右のシャッタ用ガイドレール２４ａ、２４ｂをそれぞ上記両ガイドレール下地枠２３ａ、２３ｂに取付け、外壁１に取付けたシャッタ装置１３に設けたシャッタ１４の両端部を上記一対のシャッタ用ガイドレール２４ａ、２４ｂに上下に移動自在に嵌め込んで成ることを特徴とするものである。
【００１３】
このような構成とすることで、複数のサッシ障子１２を閉じて各サッシ走行レール５の端部のサッシ収納用レール８に収納すると開口部２を全開することができ、室内の開放感、通気量、視野を高めるとともに大きな荷物の出し入れに当たってもサッシ障子１２に邪魔されることなく出し入れできるものであり、また、各サッシ収納用レール８からそれぞれサッシ障子１２を引き出して複数のサッシ障子１２により開口部２を閉じることができる。また、水切板１６を下レール枠４の上端とほぼ同じレベルにして段差のないバリアフリーの状態にでき、屋外側にウッドデッキ２６を形成した場合に、ウッドデッキ２６の上面を水切板１６の上面とほぼ面一にしてバリアフリーの状態で室内からウッドデッキ２６に出入することができ、この場合、サッシ障子１２を戸袋部９に移動させて開口部２を全開させることで、開口部２の全巾を介して室内の床２７とウッドデッキ２６とを面一に連続させることができる。しかも、このように開口部２の全巾を介して室内の床２７とウッドデッキ２６とを面一に連続させると共に開口部２に設けた窓装置部分を段差のないバリアフリーの状態として出入がスムーズに行えるようにした場合、水切板１６上にも出入する際に人が乗ったり、車椅子が載ったりするが、水切板１６は水切板補強材１５上に載設固着してあるので、上方からの荷重を受けても水切板補強材１５で補強して支持することにより下方に撓むのを確実に防止でき、特に、水切板補強材１５は、下レール枠４の屋外側端部に取付けると共に、下レール枠４の両側の立上げ片１５ａをそれぞれ縦枠６の外面部に取付けた一方のガイドレール下地枠２３ａと、上下レール枠３、４の外面部に取付けた他方のガイドレール下地枠２３ｂとに取付けるので、水切板補強材１５が窓枠の上下レール枠３、４と縦枠６とにより支持されることになって、水切板１６にかかる荷重を実質的に窓枠装置全体で支持して水切板１６が撓まないようにできる。また、両ガイドガイドレール下地枠２３ａ、２３ｂは上記のように水切板１６にかかる荷重を支持する役目と同時に左右のシャッタ用ガイドレール２４ａ、２４ｂを取付け支持する役目も果たす。
【発明の効果】
【００１４】
本発明は、開口部を全開することができて室内の開放感、通気量、視野を高めるとともに大きな荷物の出し入れに当たってもサッシ障子に邪魔されることなく出し入れでき、また、段差のないバリアフリーの状態で開口部を出入することができ、このようにバリアフリーの状態で開口部を出入できるようにした場合には水切板上にも人が乗るが、水切板が撓まないように窓枠全体で確実に水切板を支持できる。
【発明を実施するための最良の形態】
【００１５】
以下、本発明を添付図面に示す実施形態に基づいて説明する。
【００１６】
添付図面には本発明の一実施形態が示してある。図１、図２に示すように建物の外壁１には開口部２が形成してあり、外壁１には窓枠１７が取付けてある。この窓枠１７は全部又は一部が外壁１の外面側に位置するように取付けてあり、窓枠１７の外壁１の外面側に位置する部分は、大別して開口部２に対応した開口部側窓枠部１８と、開口部２の一側端部よりも側方にずれ且つ外壁１の外面に沿った戸袋側枠部１９とに区分けされる。窓枠１７は左右両縦枠６、７と上レール枠３、下レール枠４を矩形状に枠組みして構成してある。この窓枠１７は金属製であって防火性を有している。
【００１７】
上レール枠３と下レール枠４とにはそれぞれ開口部２の上縁部及び下縁部に沿った複数列のサッシ走行レール５が設けてあり、各サッシ走行レール５の端部はそれぞれ開口部２の側端部より離れる方向に外壁１に沿って連出していて各連出部分がそれぞれサッシ収納用レール８となっている。つまり、サッシ収納用レール８は上レール枠３、下レール枠４の戸袋側枠部１９に設けてあり、この戸袋側枠部１９部分が戸袋部９となっている。
【００１８】
窓枠１７には上記上下レール枠３、４よりも室内側において上レール枠３、下レール枠４間に開口縦枠部２２が形成してある。
【００１９】
図２に示すように、窓枠１７の一方の縦枠６の室内側の部分及び開口縦枠部２２を開口部２の両側部の屋外側における出隅部分に配設して取付けてある。また、上レール枠３、下レール枠４の開口部２に対応する部分は図１に示すように室内側に向けて取付け部が突設してあり、この取付け部を開口部２の上下の屋外側における出隅部分に配設して取付けてある。また、窓枠１７の他方の縦枠７は外壁１の外面に固着してある。
【００２０】
端部がサッシ収納用レール８となった複数列のサッシ走行レール５にはそれぞれサッシ枠１０にガラス板のような透光板１１を取付けたサッシ障子１２をそれぞれ走行自在に取付けてある。添付図面に示す実施形態においては２重ガラスの例を示しているが、１重であってもよいものである。また、透光板１１としては透明、半透明、不透明のいずれであってもよいが、透光性は有しているものが用いられ、室内に外光を取り入れることができるようになっている。
【００２１】
また、添付図面に示す実施形態においては屋内外方向に２列に並設した２本のサッシ走行レール５にそれぞれ１枚ずつ合計２枚のサッシ障子１２を走行自在とした例が示してあるが、サッシ走行レール５の数、サッシ障子１２の数は上記のものにのみ限定されず、要は各サッシ障子１２を開口部２と対向するように引き出すと共に隣接するサッシ障子１２の端部同士を重複させた状態で複数のサッシ障子１２により開口部２を閉じることができ、また、各サッシ障子１２をサッシ収納用レール８に移動させた状態で開口部２を全開させることができるものであれば、サッシ走行レール５の数、サッシ障子１２の数は特に限定されるものではない。
【００２２】
各サッシ障子１２を開口部２と対向するように引き出すと共に隣接するサッシ障子１２の端部（つまりサッシ枠１０の縦枠１０ａ部分）同士を重複させて複数のサッシ障子１２により開口部２を閉じた状態で、開口部２に対向した複数のサッシ障子１２のうち室内側から見て最も手前に位置するサッシ障子１２を最もサッシ収納用レール８側にずれて位置させ、室内側から見て最も手前に位置するサッシ障子１２のサッシ収納用レール８側の縦枠１０ａと、開口部２のサッシ収納用レール８側の開口縦枠部２２との水密を止水手段２５により保持するようになっている。また、各サッシ障子１２を開口部２と対向するように引き出すと共に隣接するサッシ障子１２の端部同士を重複させた状態で複数のサッシ障子１２により開口部２を閉じた状態で、隣接するサッシ障子１２の端部同士の重複部分において止水手段２５により重複部分における水密性を確保するようになっている。
【００２３】
上記の構成の窓装置は複数のサッシ障子１２を閉じて各サッシ走行レール５の端部のサッシ収納用レール８に収納することで、開口部２にサッシ障子１２が殆ど位置しないように開口部２を全開することができ、また、各サッシ収納用レール８からそれぞれサッシ障子１２を引き出して複数のサッシ障子１２を開口部２と対向させると共に隣接するサッシ障子１２の端部（サッシ枠１０の端部の縦枠１０ａ）同士を重複させることで複数のサッシ障子１２により開口部２を閉じることができるものである。そして、サッシ障子１２により開口部２を閉じた状態では通気はできないが採光ができる状態となる。
【００２４】
また、開口部２を全巾にわたって開放した全開状態において、開口部２の全巾にわたって室内と外部とを連通状態にできる。この場合は、室内から屋外、屋外から室内に荷物の出し入れをしたり、人が出入したりするに当たって、広い開口を利用して容易にできるようになっている。
【００２５】
上下レール枠３、４のサッシ走行レール５及びこれに連続するサッシ収納用レール８の外側には複数の網戸走行レール４０及びこれに連続する網戸収納用レール４１を設けて網戸収納用レール４１を戸袋部９に位置させている。各網戸走行レール４０にそれぞれ網戸４２を走行自在に取付け、網戸４２で開口部２を全閉状態としたり、あるいは各網戸４２を網戸収納用レール４１に移動させることで開口部２を全開状態としたりできる。そして、後述のシャッタ１４を全開状態とすると共に、サッシ障子１２を全開にした状態で、網戸４２で開口部２を全閉状態とすることができ、この場合には開口部２の全体から防虫を図りながら通気ができることになる。
【００２６】
図３、図４に示すように下レール枠４の屋外側端部には左右両端部に上方に向けて立上げ片１５ａを突設した水切板補強材１５がねじ具３５により固着してある。また、図２、図５、図６に示すように、左右の縦枠６、７のうち開口部２の一側端に対向した縦枠６の外面部に一方のガイドレール下地枠２３ａを固着具３５により固着してあると共に、開口部２と戸袋部９との境界部分の上下レール枠３、４の外面部に他方のガイドレール下地枠２３ｂの上下両端部を固着具３５により固着してある。
【００２７】
上記ガイドレール下地枠２３ａ、２３ｂはいずれも断面コ字状をした上下に長いものであるが、開口部２と戸袋部９との境界部分の上下レール枠３、４の外面部に上下両端部を固着する方のガイドレール下地枠２３ｂは図２、図５に示すように内部に補強柱材２３ｃを内装固着してあり、この補強柱材２３ｃを内装したガイドレール下地枠２３ｂの上下両端部を上下レール枠３、４に固着することで、開口部２と戸袋部９との境界部分において上下レール枠３、４をガイドレール下地枠２３ｂで強固に一体化できる。
【００２８】
図５、図６に示すように、水切板補強材１５の左右両端部の立上げ片１５ａがそれぞれ上記断面コ字状をしたガイドレール下地枠２３ａ、２３ｂの下端部内に挿入されると共に側片に重ねられた状態で固着具３５により固着してある。
【００２９】
水切板１６は両ガイドレール下地枠２３ａ、２３ｂの下端間に配置されると共に水切板補強材１５の上に載設して固着具３５により固着してある。ここで、該水切板１６の上面と下レール枠４の上端とをほぼ同じレベルとなるようにしてある。また、下レール枠４の屋内側の端部は室内の床２７とほぼ同じレベルにしてある。したがって、開口部２の出入りに当たって、下レール枠４、水切板１６が段差のないバリアフリーの状態となっている。
【００３０】
このため、開口部２の出入りの際に水切板１６上にも足を載せることがあるが、水切板１６にかかる荷重は水切板補強材１５で支持されて水切板１６が下方に撓まないようになっている。この場合、特に、水切板補強材１５は上記のように下レール枠４に固着して支持されるだけでなく、ガイドレール下地枠２３ａ、２３ｂを介して縦枠６、上レール枠３にも支持されるので、水切板１６に作用する荷重は実質的に窓枠１７全体で支持されることになって、水切板１６が撓まないようになっている。
【００３１】
シャッタ装置１３は、シャッタ１４を巻き取り自在とするドラム３０と該ドラム３０を回転するモータ２０を収納したシャッタ収納ボックス３１と、左右のシャッタ用ガイドレール２４ａ、２４ｂとを備えている。
【００３２】
シャッタ収納ボックス３１の後面部を図１に示すように上レール枠３の直上において外壁１に固着してある。
【００３３】
左右のシャッタ用ガイドレール２４ａ、２４ｂはシャッタ収納ボックス３１の下面のシャッタ出入れ部の長手方向の両端部から下方に垂設してあり、該左右のシャッタ用ガイドレール２４ａ、２４ｂは両ガイドレール下地枠２３ａ、２３ｂの前端部に取付けてある。左右のシャッタ用ガイドレール２４ａ、２４ｂをそれぞれガイドレール下地枠２３ａ、２３ｂに取付けるには図２に示すように、ガイドレール下地枠２３ａ、２３ｂに設けた係止片５０に左右のシャッタ用ガイドレール２４ａ、２４ｂに設けた被係止片５１を係止した状態でねじ具５２により固着することで取付けてある。左右のシャッタ用ガイドレール２４ａ、２４ｂの対向面に上下全長にわたって断面コ字状をし且つ上端部が上方に開口したレール溝部が設けてある。
【００３４】
シャッタ１４は複数のシャッタ板１４ａを軸支部分で回動自在に連結して構成してあり、ドラム３０にシャッタ１４を巻き取った状態で、最下端に位置するシャッタ板１４ａの両端部が図１のように左右のシャッタ用ガイドレール２４ａ、２４ｂのレール溝部の上端部内に位置している。この状態で左右両縦枠６、７と上レール枠３、下レール枠４に囲まれた部分が全開状態となり、したがって、開口部２も全開状態となっている。
【００３５】
この状態でドラム３０を一方向に回転することで、ドラム３０に巻き取ったシャッタ１４の両端部が左右のシャッタ用ガイドレール２４ａ、２４ｂのレール溝部に嵌め込まれて該左右のシャッタ用ガイドレール２４ａ、２４ｂに沿って移動することでシャッタ１４が下方に引き下ろされ、シャッタ１４の下端部が水切板１６の上面に当接することで、左右両縦枠６、７と上レール枠３、下レール枠４に囲まれた部分がシャッタ１４により全閉される。
【００３６】
上記のような構成の窓装置は、前述のように水切板１６の上面と下レール枠４の上端とがほぼ同じレベルで開口部２がバリアフリーの状態となっているので、屋外にウッドデッキ２６を形成する場合、ウッドデッキ２６の上面が水切板１６の上面とほぼ面一となるように形成することで、屋内の床２７の上面、開口部２の下レール枠４の上端、水切板１６の上面、ウッドデッキ２６の上面をほぼ面一にできて、開口部２を介して室内からウッドデッキ２６にバリアフリーの状態で出入りすることができることになる。特に、サッシ障子１２、網戸４２を戸袋部９に収納して開口部２を全巾にわたって開口することで、室内とウッドデッキ２６とが屋内外に連続した段差のない１つの広い開放感のある床を構成することができる。
【００３７】
そして、室内からウッドデッキ２６への出入りに当たって、ウッドデッキ２６や下レール枠４や室内の床２７とほぼ同じレベルとなった水切板１６上に乗ったり、あるいは車椅子で移動したりすることで水切板１６上に大きな荷重がかかるが、前述のように水切板１６に作用する荷重は実質的に窓枠１７全体で支持されるので、開口部２をバリアフリーとなる構造としても確実に水切板１６が撓むのを防止することができる。
【図面の簡単な説明】
【００３８】
【図１】本発明の一実施形態の縦断面図である。
【図２】同上の平断面図である。
【図３】同上の水切板補強材の取付けを示す分解斜視図である。
【図４】同上の水切板補強材の取付けを示す断面図である。
【図５】同上の水切板の取付けを示す分解斜視図である。
【図６】同上の水切板の取付けを示す断面図である。
【符号の説明】
【００３９】
１  外壁
２  開口部
３  上レール枠
４  下レール枠
５  サッシ走行レール
６  縦枠
７  縦枠
８  サッシ収納用レール
９  戸袋部
１０  サッシ枠
１２  サッシ障子
１３  シャッタ装置
１５  水切板補強材
１５ａ  立上げ片
２３ａ  ガイドレール下地枠
２３ｂ  ガイドレール下地枠
２４ａ  シャッタ用ガイドレール
２４ｂ  シャッタ用ガイドレール
【図１】
2007146537.tif 000003
【図２】
2007146537.tif 000004
【図３】
2007146537.tif 000005
【図４】
2007146537.tif 000006
【図５】
2007146537.tif 000007
【図６】
2007146537.tif 000008